(57)【要約】  【課題】封印対象物の開封を確実に検知して不正なる情報の漏洩や物件の改ざんを防止する。  【解決手段】フイルム状若しくはシート状の絶縁性基材２の片面或いは両面に金属の薄膜にてコイル３を形成し、更に、該絶縁性基材２の表裏両面に金属の薄膜にてコンデンサパターン４，６を形成する。更に、双方のコンデンサパターン４，６を、前記コイル３を介して導通してコンデンサ１０を構成し、且つ、該絶縁性基材２に共振回路１１を設ける。又、双方のコンデンサパターン４，６より側方に配線パターン１２，１３を延設し、且つ、該絶縁性基材表裏両面の配線パターン１２，１３の先端部を接続して該双方のコンデンサパターン４，６を導通することにより、前記共振回路１１を短絡状態にして電子封印シールを構成する。そして、該電子シール１を封印する対象物の封印箇所に貼着すると、該封印箇所が開封されたときに、前記配線パターン１２，１３が切断されて共振回路の短絡状態が解除される。【選択図】図１
2005128189.tif 000002
【特許請求の範囲】
【請求項１】
フイルム状若しくはシート状の絶縁性基材の片面或いは両面に金属の薄膜にてコイルを形成し、更に、該絶縁性基材の表裏両面に金属の薄膜にてコンデンサパターンを形成すると共に、双方のコンデンサパターンを、前記コイルを介して導通してコンデンサを構成し、且つ、該絶縁性基材に共振回路を設け、更に、双方のコンデンサパターンより側方に配線パターンを延設し、且つ、双方の配線パターンの先端部を接続して該双方のコンデンサパターンを導通することにより前記共振回路を短絡状態に形成し、短絡状態にある該共振回路を設けた絶縁性基材を封印する対象物の封印箇所に貼着した後、該封印箇所が開封されたときに、前記配線パターンが切断されて共振回路の短絡状態が解除されるように構成したことを特徴とする電子封印シール。
【請求項２】
上記絶縁性基材の左右両側にコイルを形成すると共に、該コイルに隣接し、且つ、該絶縁性基材の中央方向にコンデンサを設け、更に、該コンデンサのコンデンサパターンより該絶縁性基材の中央方向であって、且つ、対向する他のコンデンサ方向へ、夫々の配線パターンを該絶縁性基材の表裏両面に延設して短絡した一対の共振回路を該絶縁性基材に設けると共に、双方の配線パターンを該絶縁性基材の前後に配置して夫々の共振回路の該配線パターンが相互に干渉することを防止するように構成したことを特徴とする請求項１記載の電子封印シール。
【請求項３】
上記絶縁性基材の中央部位に２つのコイルを形成し、更に、該コイルに隣接し、且つ、該コイルの側方に夫々コンデンサを設けると共に、夫々のコンデンサより外側方向へ前記配線パターンを延設して短絡した一対の共振回路を該絶縁性基材に設けたことを特徴とする請求項１記載の電子封印シール。
【請求項４】
上記絶縁性基材に設けた共振回路を該絶縁性基材に繰り返し連続して形成されたことを特徴とする請求項１、２又は３記載の電子封印シール。
【請求項５】
上記絶縁性基材に設けた一対の共振回路の共振周波数が異なることを特徴とする請求項２又は３記載の電子封印シール。
【請求項６】
上記絶縁性基材に連続して複数の共振回路を設けた電子封印シールに於いて、一対の共振回路の周波数の組み合わせと隣接する組の共振回路の周波数の組み合わせとを異にして形成したことを特徴とする請求項４記載の電子封印シール。
【請求項７】
上記絶縁性基材に設けた一対の共振回路の中間部位に共振回路を追加して設け、且つ、該追加した共振回路が短絡状態にないことを特徴とする請求項２、３、４又は５記載の電子封印シール。
【請求項８】
上記絶縁性基材に一対の共振回路を設け、更に、該共振回路の中央部位に追加して３つの共振回路を設けた電子封印シールに於いて、該３つの共振回路を少なくとも一つは異なる共振周波数に形成したことを特徴とする請求項７記載の電子封印シール。
【請求項９】
上記絶縁性基材に一対の共振回路を設け、更に、該共振回路の中央部位に追加して３つの共振回路を設けた電子封印シールに於いて、該絶縁性基材に該３つの共振回路を連続して繰り返し複数組の共振回路を設けたことを特徴とする請求項７又は８記載の電子封印シール。
【請求項１０】
上記絶縁性基材に設けた３つの共振回路を形成し、且つ、該３つの共振回路を連続して複数組の共振回路を形成した電子封印シールに於いて、該一組の共振回路の共振周波数の組み合わせと隣接する一組の共振回路の共振周波数の組み合わせとを異なるように形成したことを特徴とする請求項９記載の電子封印シール。
【請求項１１】
上記絶縁性基材の表裏両面の左右に延設された配線パターンに、或いは、該絶縁性基材を介して該配線パターンに対峙する位置に、該配線パターンに直交するパターンを一定の間隔を有し、且つ、左右方向に連続して複数形成したことを特徴とする電子封印シール。
【請求項１２】
上記共振回路を設けた絶縁性基材と梱包テープとを積層したことを特徴とする電子封印シール。
【発明の詳細な説明】
【技術分野】
【０００１】
本発明は、電子封印シールに関するものであり、特に、確実に開封した事実を検出して開封したことを隠匿するなどの不正を防止する電子封印シールに関するものである。
【背景技術】
【０００２】
従来この種電子封印シールは存在しない。重要書類やコンピュータ等の機械には封印が施されている。該封印は、封印対象物の開閉口に封印シールを貼着することにより、該開閉口が開封された際に該封印シールが破れる等して損壊されるように形成されている。従って、該封印シールが損壊されているか否かにて該対象物の開閉口が開封されたか否かが判断される。
【０００３】
即ち、該封印シールが損壊されていれば、該対象物の開閉口が開封されたと判断される。そして、該封印シールの損壊が認められなければ、該対象物は封印された状態が維持されていると判断される。
【発明の開示】
【発明が解決しようとする課題】
【０００４】
上記背景技術に説明したように従来は、封印する対象物の開閉口に封印シールを貼着して該封印シールが損壊されているか否かによって該開閉口が開封されたか否かを判断されていた。然し乍ら、該封印シールを損壊せずに丁寧に対象物より剥離し、収容された書類の情報を盗み、又は、物件に改ざんを施した後、再度該封印シールを開閉口に貼着することにより、該情報の漏洩や物件の改ざん等の不正を発見することができないという憂いが生じている。
【０００５】
更に、封印シールが偽造されることがあるので、該封印シールを剥離して書類や物件に不正を施した後、新たな偽造封印シールにて開閉口を封印することにより、該不正を発見することができないという問題を生じている。
【０００６】
例えば、パチンコの遊戯装置等には、該遊戯装置を制御するＲＯＭが取り付けられており、該ＲＯＭに封印シールが貼着されている。然し、該封印シールを剥がして該ＲＯＭを交換して該遊戯装置を改ざんした後、再び封印シールを貼着する不正が施されるので、該不正を発見できない問題を生じている。
【０００７】
そこで、封印シールの偽造を防止すると共に、書類や物件の開閉口の開封を確実に検知して、該重要書類の情報の漏洩や物件の改ざんを防止するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、フイルム状若しくはシート状の絶縁性基材の片面或いは両面に金属の薄膜にてコイルを形成し、更に、該絶縁性基材の表裏両面に金属の薄膜にてコンデンサパターンを形成すると共に、双方のコンデンサパターンを、前記コイルを介して導通してコンデンサを構成し、且つ、該絶縁性基材に共振回路を設け、更に、双方のコンデンサパターンより側方に配線パターンを延設し、且つ、双方の配線パターンの先端部を接続して該双方のコンデンサパターンを導通することにより前記共振回路を短絡状態に形成し、短絡状態にある該共振回路を設けた絶縁性基材を封印する対象物の封印箇所に貼着した後、該封印箇所が開封されたときに、前記配線パターンが切断されて共振回路の短絡状態が解除されるように構成した電子封印シールを提供する。
【０００９】
請求項２記載の発明は、上記絶縁性基材の左右両側にコイルを形成すると共に、該コイルに隣接し、且つ、該絶縁性基材の中央方向にコンデンサを設け、更に、該コンデンサのコンデンサパターンより該絶縁性基材の中央方向であって、且つ、対向する他のコンデンサ方向へ、夫々の配線パターンを該絶縁性基材の表裏両面に延設して短絡した一対の共振回路を該絶縁性基材に設けると共に、双方の配線パターンを該絶縁性基材の前後に配置して夫々の共振回路の該配線パターンが相互に干渉することを防止するように構成したことを特徴とする請求項１記載の電子封印シールを提供する。
【００１０】
請求項３記載の発明は、上記絶縁性基材の中央部位に２つのコイルを形成し、更に、該コイルに隣接し、且つ、該コイルの側方に夫々コンデンサを設けると共に、夫々のコンデンサより外側方向へ前記配線パターンを延設して短絡した一対の共振回路を該絶縁性基材に設けたことを特徴とする電子封印シールを提供する。
【００１１】
請求項４記載の発明は、上記絶縁性基材に設けた共振回路を該絶縁性基材に繰り返し連続して組形成された電子封印シールを提供する。
【００１２】
請求項５記載の発明は、上記絶縁性基材に設けた一対の共振回路の共振周波数が異なる電子封印シールを提供する。
【００１３】
請求項６記載の発明は、上記絶縁性基材に連続して複数の共振回路を設けた共振回路を複数組設けた電子封印シールに於いて、一対の共振回路の周波数の組み合わせと隣接する組の共振回路の周波数の組み合わせとを異にして形成した電子封印シールを提供する。
【００１４】
請求項７記載の発明は、上記絶縁性基材に設けた一対の共振回路の中間部位に共振回路を追加して設け、且つ、該追加した共振回路が短絡状態にない電子封印シールを提供する。
【００１５】
請求項８記載の発明は、上記絶縁性基材に一対の共振回路を設け、更に、該共振回路の中央部位に追加して３つの共振回路を設けた電子封印シールに於いて、該３つの共振回路を少なくとも一つは異なる共振周波数に形成した電子封印シールを提供する。
【００１６】
請求項９記載の発明は、上記絶縁性基材に一対の共振回路を設け、更に、該共振回路の中央部位に追加して３つの共振回路を設けた電子封印シールに於いて、該絶縁性基材に該３つの共振回路を連続して複数組の共振回路を設けた電子封印シールを提供する。
【００１７】
請求項１０記載の発明は、上記絶縁性基材に設けた３つの共振回路を形成し、且つ、該３つの共振回路を連続して複数組の共振回路を形成した電子封印シールに於いて、該一組の共振回路の共振周波数の組み合わせと隣接する一組の共振回路の共振周波数の組み合わせとを異なるように形成した電子封印シールを提供する。
【００１８】
請求項１１記載の発明は、上記絶縁性基材の表裏両面の左右に延設された配線パターンに、或いは、該絶縁性基材を介して該配線パターンに対峙する位置に、該配線パターンに直交するパターンを一定の間隔を有し、且つ、左右方向に連続して複数形成した電子封印シールを提供する。
【００１９】
請求項１２記載の発明は、上記共振回路を設けた絶縁性基材と梱包テープ等とを積層した電子封印シールを提供する。
【発明の効果】
【００２０】
請求項１記載の発明は、フイルム状或いはシート状の絶縁性基材に共振回路を形成し、且つ、該共振回路に配線パターンを設けて該共振回路を短絡状態に形成して電子封印シールを構成している。そして、該電子封印シールを封印対象物に貼付した後、該電子封印シールを該対象物より剥離したときには、該電子封印シールの接着力、或いは、該電子封印シールに対する引掛力により前記配線パターンが切断されて該電子封印シールに設けられた共振回路の短絡状態が解除されるので、該電子封印シールの共振回路はスキャナより発信される所定の電波に共振して該共振回路が認識される。
【００２１】
従って、該スキャナにて共振回路を認識しない場合には、封印対象物より電子封印シールが剥離されていないと判断され、又、該共振回路を該スキャナにて認識する場合には該封印対象物より該電子封印シールが剥離されて開封されたことを認識することができるので、確実に封印対象物の開封を検知して不正開封による情報の漏洩や物件の改ざんを防止することができるという利点がある。更に、該電子封印シールの共振回路の共振周波数を変更することにより、該電子封印シールの偽造を防止することができる。
【００２２】
請求項２記載の発明は、絶縁性基材の左右両側に共振回路を設けると共に、該共振回路のコンデンサパターンより該絶縁性基材の表裏両面であって、且つ、該絶縁性基材の中央方向へ夫々の配線パターンを延設している。そして、該絶縁性基材の表裏両面の配線パターンを接続して左右両側に配設された一対の共振回路を短絡している。又、左右両側のコンデンサより延設された配線パターンは、該電子封印シールの前後に配設されて双方を干渉しないように形成されている。
【００２３】
而して、該電子封印シールを封印対象物に貼付した後、該電子封印シールが該封印対象物より剥離されたときには、該電子封印シールの両側に設けた共振回路より夫々延設された配線パターンの一方或いは両方が切断されて、該共振回路の一方或いは両方の短絡状態が解除される。従って、スキャナにて該共振回路を認識して不正なる封印対象物の開封を認識することができる。
【００２４】
又、該電子封印の左右両側の共振回路より中央方向へ延設された配線パターンの一方或いは双方が切断されるように形成されているので、請求項１の電子封印シールに加えて該配線パターンの切断の確率を向上し、確実なる封印対象物の開封に対する認識が可能となる。
【００２５】
請求項３記載の発明は、絶縁性基材の中央部に２つのコイルを配設し、夫々の該コイルの側方に隣接してコンデンサを配設して一対の共振回路を設けている。更に、夫々のコンデンサより側方へ配線パターンを延設して双方の共振回路を短絡状態に形成している。
【００２６】
而して、該電子封印シールを封印対象物に貼付した後、該電子封印シールが該封印対象物より剥離されたときには、該電子封印シールの中央部位に設けた共振回路より夫々側方へ延設された配線パターンの一方或いは両方が切断されて、該共振回路の一方或いは両方の短絡状態が解除されるので、スキャナにて該共振回路を認識して不正なる封印対象物の開封を認識することができる。又、該電子封印シールの中央部位に設けられた２つの共振回路より側方へ延設された配線パターンの一方或いは双方が切断されるように形成されているので、請求項２記載の発明と同様に請求項１の電子封印シールに比して該配線パターンの切断の確率を向上し、確実なる封印対象物の開封に対する認識が可能となる。
【００２７】
請求項４記載の発明は、上記共振回路を繰り返し連続して絶縁性基材に形成しているので、封印する長さの大なる開閉口に於いても、該電子封印シールの長さを調整して封印対象物を封印することができる。更に、例え該開閉口の何れの位置にて開封されたとしても、開封された箇所の共振回路の短絡状態が解除されるので、該封印対象物の開封を確実に検知することができる。
【００２８】
請求項５記載の発明は、前記電子封印シールに設けた一対の共振回路を異なる周波数に形成しているので、該電子封印シールの模倣が困難となり、該電子封印シールの偽造を防止することができる。
【００２９】
請求項６記載の発明は、上記共振回路を繰り返し連続して前記絶縁性基材に形成した電子封印シールに於いて、該一対の共振回路の共振周波数の組み合わせと隣接する一対の共振回路の組み合わせとを異にして形成しているので、該電子封印シールの模倣が複雑となって該電子封印シールの偽造を確実に防止できると共に、電子封印シールが開封された位置を特定することができる。
【００３０】
請求項７記載の発明は、電子封印シールに設けられた一対の共振回路の中間部位に共振回路を追加して設け、且つ、該追加された共振回路は短絡状態にない動作状態に形成されている。従って、該電子封印シールが剥離されたときには、該剥離により短絡状態が解除されて動作可能となった共振回路の共振電波と、該追加された共振回路の共振電波との双方をスキャナにて検知するので、該剥離による開封を確実に確認することができる。又、該電子封印シールが剥離されずに封印対象物に貼付されているときには、該追加された共振回路をスキャナが検知して該電子封印シールが貼付されていることを認識することができる。
【００３１】
請求項８記載の発明は、上記一対の共振回路の中間部位に共振回路を追加して設けた電子封印シールに於いて、少なくとも何れか一つの共振回路を異なる共振周波数に形成しているので、該電子封印シールの偽造を確実に防止することができる。
【００３２】
請求項９記載の発明は、上記一対の共振回路の中間部位に共振回路を追加して設けた電子封印シールに於いて、該３つの共振回路を繰り返し連続して複数組の共振回路を電子封印シールに設けているので、封印する長さの大なる開閉口に於いても、該電子封印シールの長さを調整して封印することができる。更に、例え該開閉口の何れの位置にて開封されたとしても、開封された箇所の共振回路の短絡状態が解除されるので、該封印対象物の開封を確実に検知することができる。
【００３３】
請求項１０記載の発明は、上記３つの共振回路を複数組連続して繰り返して複数組の共振回路を絶縁性基材に形成した電子封印シールに於いて、該一組の共振回路と隣接する組の共振回路の周波数の組み合わせを異なるように形成しているので、該電子封印シールの模倣が複雑となって該電子封印シールの偽造を確実に防止できると共に、電子封印シールが開封された位置を特定することができる。
【００３４】
請求項１１の発明は、上記絶縁性基材の表裏両面の左右方向に延設された配線パターンに、或いは、該絶縁性基材を介して該配線パターンに対峙する位置に、該配線パターンに直交するパターンを一定の間隔を有し、且つ、左右方向に連続して形成しているので、該配線パターンの位置に於いて該パターンを有する部位と該パターンの間隙との強度が異なる。従って、該電子封印シールを剥離した際には、該配線パターンの強度の弱い部分が容易に切断されることにより、該共振回路の短絡状態が解除されるので、確実に封印対象物の開封をスキャナにて検知することができる。
【００３５】
請求項１２の発明は、上記共振回路を設けた絶縁性基材と梱包テープとを積層した電子封印シールであるので、例えばダンボールの開閉口に該電子封印シールを梱包テープと共に貼付した後、該開閉口を開封し、該電子封印シールを該梱包テープと共に再び貼付したとしても、該開封により電子封印シールの共振回路の短絡状態が解除されて、スキャナによる確実なる開封の検知を成すことができる。即ち、梱包テープと積層されることにより、該電子封印シールが剥離される際に、該梱包テープの粘着力により確実に共振回路の短絡状態が解除されるため、該開封の検知精度が高くなる。
【発明を実施するための最良の形態】
【００３６】
封印シールの偽造を防止すると共に、書類や物件の開閉口の開封を確実に検知して、該重要書類の情報の漏洩や物件の改ざんを防止するという目的をフイルム状若しくはシート状の絶縁性基材の片面或いは両面に金属の薄膜にコイルを形成し、更に、該絶縁性基材の表裏両面に金属の薄膜にてコンデンサパターンを形成すると共に、双方のコンデンサパターンを、前記コイルを介して導通してコンデンサを構成し、且つ、該絶縁性基材に共振回路を設け、更に、双方のコンデンサパターンより側方に配線パターンを延設し、且つ、双方の配線パターンの先端部を接続して該双方のコンデンサパターンを導通することにより、前記共振回路を短絡状態に形成した電子封印シールによって達成した。
【実施例１】
【００３７】
以下、本発明の一実施例を図１乃至図１０に従って詳述する。図１は本発明の電子封印シール１の平面図、図２は該電子封印シール１の縦断面図である。該電子封印シール１は、フイルム状若しくはシート状の絶縁性基材２の表面左側部に金属の薄膜にて形成されたコイル３が設けられ、該コイル３の右側部であって、且つ、該コイル３に隣接して一方のコンデンサパターン４が金属の薄膜にて形成されている。又、該コイル３及びコンデンサパターン４は接着剤５にて貼着され、且つ、該コイル３の一端部に該コンデンサパターン４が接続されている。本実施例に於いては、該コイル３及びコンデンサパターン４は絶縁性基材２の左側部に配設されているが、これに限定されることはない。
【００３８】
一方、該絶縁性基材２の裏面には、前記コンデンサパターン４と同様の金属の薄膜にて形成された他方のコンデンサパターン６が接着剤７にて貼着されると共に、該他方のコンデンサパターン６は前記絶縁性基材２を介して前記一方のコンデンサパターン４に対峙して配設されている。
【００３９】
又、該他方のコンデンサパターン６は、該コンデンサパターン６より左方向へ延設した延設部８に接続され、且つ、該延設部８の先端部は接続子９にて前記コイル３の他端部に接続されている。従って、該一方のコンデンサパターン４と他方のコンデンサパターン６とは該コイル３を介して導通されるので、該コンデンサパターン４と６とにてコンデンサ１０を構成して該絶縁性基材２に共振回路１１が設けられる。尚、該延設部８は該他方のコンデンサパターン６と同様に接着剤７にて前記絶縁性基材２に貼着されている。
【００４０】
更に、該絶縁性基材２の表面に設けられたコンデンサパターン４後部より該絶縁性基材２の右側部まで配線パターン１２が延設されると共に、該配線パターン１２は該コンデンサパターン４に接続されている。そして、該配線パターン１２は該絶縁性基材２の右側縁部に於いて、該絶縁性基材２の前後中央部へ折曲されている。
【００４１】
一方、該絶縁性基材２の裏面には、該絶縁性基材２の裏面に設けたコンデンサパターン６の後部より該絶縁性基材２の右側部まで配線パターン１３が延設され、且つ、該配線パターン１３は該コンデンサパターン６に接続されている。そして、該配線パターン１３は該絶縁性基材２の右側縁部に於いて、該絶縁性基材２の前後中央部へ折曲されている。
【００４２】
又、該絶縁性基材２の表裏両面に形成された配線パターン１２，１３は先端部を接続子１４にて導通されている。従って、前記コンデンサ１０のコンデンサパターン４と６とが直接導通されるので、前記共振回路１１は短絡状態に形成される。尚、該絶縁性基材２の表面に設けられた配線パターン１２は前記接着剤５にて貼着され、且つ、該絶縁性基材２の裏面に設けられた配線パターン１３は前記接着剤７にて該絶縁性基材２へ貼着されている。
【００４３】
一方、該絶縁性基材２の裏面と他方のコンデンサパターン６及び延設部８の裏面並びに配線パターン１３の裏面には、接着剤１５が塗布され、前記電子封印シール１を封印する対象物の開閉口に貼付できるように形成されている。そして、該電子封印シール１を封印対象物へ貼着した後、該封印対象物より剥離したときには、該接着剤１５の接着力により配線パターン１３が該絶縁性基材２より剥離或いは切断されるように構成され、且つ、該コンデンサパターン１０及び延設部８は、前記接着剤７の接着力により該絶縁性基材２より剥離されないように調整されている。
【００４４】
更に、該絶縁性基材２の表面に於いては、該配線パターン１２が剥離され、前記コイル３及びコンデンサパターンは前記接着剤５の接着力により該絶縁性基材２に残留して剥離されないように調整されている。尚、該電子封印シール１の上面は表面紙１６にて被覆されている。
【００４５】
斯くして構成された電子封印シール１は、図３に示すように、封印対象物１７の開閉口に貼着されて該封印対象物１７を封印する。この封印の際には、該封印対象物１７の開閉口を該電子封印シール１の配線パターン１２の左右中間部に位置するを可とする。そして、スキャナ１８の送信部１９より該電子封印シール１の共振回路１１と同様の周波数の電波を送信したときには、該共振回路１１が短絡状態にあるので、該共振回路１１が共振することはなく、該スキャナ１８にて該共振回路１１を認識することはできない。このときは、該電子封印シール１が剥離されていないことを認識するので、封印対象物１７の開閉口が封印された状態を保持されていることを確認することができる。
【００４６】
又、該電子封印シール１が封印対象物１７より剥離されて再び封印されたときには、該電子封印シール１の配線パターン１２或いは配線パターン１３若しくは双方の配線パターン１２，１３が剥離されて切断されているので、前記共振回路１１の短絡が解除されて該共振回路１１より共振周波数の電波を発信する。そして、該共振回路１１より発信された電波を該スキャナ１８の受信部２０にて受信し、制御部２１にて該発信電波を認識する。このときは、該電子封印シール１が剥離されたことを認識するので、封印対象物１４の開閉口が開封されたことを確認することができる。従って、確実に対象物１７が開封されたか否かを確認することができる。
【００４７】
一方、該共振回路１１はコイル３の巻回数或いはコンデンサ４の面積を変更すること等により、共振周波数を改変することができるので、該電子封印シール１の偽造を防止することができる。依って、封印対象物に対する不正な開封による情報の漏洩や物件の改ざんを防止することができる。
【００４８】
又、図４は他の実施例を示し、電子封印シール３０の絶縁性基材３１の表面左右両側部にコイル３２，３３を形成し、該コイル３２，３３に隣接し、且つ、該コイル３２，３３の内側にコンデンサパターン３４，３５を設けている。更に、該絶縁性基材３１左側部のコンデンサパターン３４の後部より右側方向へ配線パターン３６が延設されている。
【００４９】
一方、該絶縁性基材３１の右側部に設けられたコンデンサパターン３５の前部より左側方向へ配線パターン３７が延設されている。又、該絶縁性基材３１の裏面には前記コンデンサパターン３４，３５に対峙してコンデンサパターン３８，３９が形成されている。
【００５０】
そして、該コンデンサパターン３８，３９は延設部４０，４１及び接続子４２，４３を介して前記コイル３２，３３に導通している。従って、該絶縁性基材３１にコンデンサ４４，４５が設けられると共に、該絶縁性基材３１に共振回路４６，４７が構成される。更に、該絶縁性基材３１裏面左側部のコンデンサパターン３８後部より右側方向へ配線パターン４８が前記配線パターン３６に対峙して延設され、且つ、右側部のコンデンサパターン３９の前部より左側方向へ前記配線パターン３７に対峙して配線パターン４９が延設されている。
【００５１】
又、該電子封印シール３０の左側部に配設されたコンデンサ４４に接続された配線パターン３６，４８は先端部を接続子５０にて導通され、該電子封印シール３０左側部の共振回路４６を短絡状態に形成している。一方、該電子封印シール３０の右側部に設けられたコンデンサ４５より延設された配線パターン３７，４９は先端部を接続子５１にて導通して該電子封印シール３０の右側部の共振回路４７を短絡状態に構成している。
【００５２】
該電子封印シール３０後部の配線パターン３６，４８と前部の配線パターン３７，４９とは前後に配設されて夫々干渉しないように配置され、該電子封印シール３０に於いて所謂入れ子の状態に設けられている。そして、該電子封印シール３０は上述の図１及び図２の実施例と同様に該電子封印シール３０が封印対象物より剥離されたときには、配線パターン３６，３７，４８，４９が剥離されて切断し、該共振回路４６，４７の短絡状態が解除されるように形成されている。
【００５３】
本実施例の発明は上記構成にかかるので、該電子封印シール３０が封印対象物１７に貼付され、且つ、該封印が維持された状態に於いては、前記スキャナ１８にて共振電波のスキャニング動作を作動したとしても、該共振回路４６，４７が短絡状態を維持しているので該共振回路４６，４７をスキャナ１８が認識することはできない。然し乍ら、該電子封印シール３０が剥離されて封印対象物１７の開閉口が開封された際には、例え再び該電子封印シール３０を貼付したとしても、前記配線パターン３６，３７或いは配線パターン４８，４９が剥離して切断されるので、該共振回路４６，４７の短絡状態が解除される。
【００５４】
従って、該スキャナ１８にて共振電波を発信することにより、該共振回路４６，４７が共振して共振電波を返信するので、該スキャナ１８が該共振電波を認識する。而して、封印対象物の開封を確実に認識することができる。又、該電子封印シール３０には、前記絶縁性基材３１の表裏両面前後両側に配線パターン３６，３７，４８，４９を配設しているので、該電子封印シール３１が剥離された際には、図１の電子封印シール１に比して該配線パターン３６，３７，４８，４９が切断される確率が高くなり、封印対象物の開封を更に確実に認識することができる。又、該共振回路４６，４７を異なる共振周波数に形成することにより、該電子封印シール３０の偽装が困難となる。
【００５５】
一方、図５の電子封印シール１ａは、図１の短絡状態の共振回路１１と、該共振回路１１に対して対称に形成した共振回路１１ａとの２つの共振回路１１，１１ａを設けると共に、該電子封印シール１ａの中央部にコイル３，３ａを配設し、更に、該コイル３，３ａの両側にコンデンサ１０，１０ａを設けると共に、配線パターン１２，１３と１２ａ，１３ａとを該電子封印シール１ａの左右両側に配設している。この電子封印シール１ａを封印対象物１７に貼付した際には、前述の図４の電子封印シール３０と同様に配線パターン１２，１３及び１２ａ，１３ａが切断される確率が高くなり、封印対象物の開封を更に確実に認識することができる。又、該共振回路１１，１１ａを異なる共振周波数に形成することにより、該電子封印シール１ａの偽装が困難となる。該電子封印シール１ａと上述の図４の電子封印シール３０とは、封印対象物の開閉口の形状等により選択するを可とする。
【００５６】
又、図６の電子封印シール３０ａは、図４に示した一対の共振回路４６，４７を繰り返し連続して、複数組の共振回路４６ａ，４７ａ，４６ｂ，４７ｂ…を設けている。而して、該電子封印シール３０ａを封印する長さの大なる開閉口に貼付することにより、該開閉口を確実に封印することができると共に、何れの箇所にて開封がなされたとしても、該開封がなされた位置の共振回路４６ａ，４７ａ，４６ｂ，４７ｂ…を前記スキャナ１８が検知して、該開封箇所を特定することができる。この電子封印シール３０ａの長さは、封印する開閉口の長さに調整するを可とする。
【００５７】
更に、一対の共振回路４６ａ，４７ａの共振周波数の組み合わせと隣接する共振回路４６ｂ，４７ｂの組み合わせとを異にして構成すれば、該電子封印シール３０ａの偽装を確実に防止することができる。又、共振回路を繰り返し連続して配設する形状はこれに限定するべきではなく、例えば図５の共振回路１１，１１ａを繰り返し配設することも可能である。
【００５８】
一方、図７の電子封印シール３０ｂは、上述の図６に示した一対の共振回路４６ａ，４７ａの中間部に追加して共振回路５２を設けている。該共振回路５２は短絡状態にはなく、共振動作状態に形成されている。而して、該電子封印シール３０ｂが封印対象物１７より剥離された際には、短絡状態から解除された共振回路４６ａ，４７ａと該共振回路５２との双方をスキャナ１８にて検知することができるので、確実に開封を認識することができる。
【００５９】
更に、該電子封印シール３０ｂが剥離されずに封印対象物１７の封印が維持されているときには、該共振回路５２をスキャナ１８が検知して該電子封印シール３０ｂが貼付されていることを認識することができる。又、該電子封印シール３０ｂを用いることにより、封印対象物の固有の認識が可能となる。即ち、例えば、ダンボールに該電子封印シール３０ｂを貼付する際に、該ダンボールに収容する内容物件により、その内容物件固有の周波数に該共振回路５２の共振周波数を設定しておくことにより、該内容物件を開封することなく認識することができる。
【００６０】
そして、該電子封印シール３０ｂの少なくとも何れか一つの共振回路４６ａ又は４７ａ或いは５２を異なる周波数に形成することにより、該電子封印シール３０ｂの偽造を更に確実に防止することができる。又、該電子封印シール３０ｂは、一対の共振回路４６ａ，４７ａの中間部に追加して共振回路５２を形成し、更に、該３つの共振回路４６ａ，４７ａ及び５２を一組として繰り返し連続して複数組の共振回路４６ａ，４７ａ，５２、４６ｂ，４７ｂ，５３…を設けているので、長さの大なる封印開閉口に該電子封印シール３０ｂの長さを調整して貼付することができる。このときは、例え該開閉口の何れの箇所にて開封されたとしても、該開封された位置の共振回路４６ａ，４７ａ，４６ｂ，４７ｂ，…の短絡状態が解除されて該共振回路４６ａ，４７ａ，５２、４６ｂ，４７ｂ，５３…を前記スキャナ１８にて認識することができるので、該開封を確実に検知することができる。
【００６１】
更に、夫々の組の共振回路４６ａ，４７ａ，５２、４６ｂ，４７ｂ，５３…の周波数の組み合わせを変更することにより、電子封印シール３０ｂの更なる偽装の防止が可能となると共に、封印対象物の開閉口の開封箇所を特定することも可能となる。
【００６２】
図８の電子封印シール１ｂは、図１に示した絶縁性基材２表面の配線パターン１２の左右中間部であって、且つ、該配線パターン１２の裏面に該配線パターン１２に直交してパターン５４，５４…を形成している。そして、夫々の該パターン５４，５４…は左右両側に間隔を有し、且つ、連続して設けられている。更に、該絶縁性基材２裏面の配線パターン１３の左右中間部であって、且つ、該配線パターン１３の表面に該配線パターン１３に直交してパターン５５，５５…を形成している。該パターン５５，５５…は、前述と同様に、左右に間隔を有し、且つ、連続して設けられている。該パターン５４，５４…、５５，５５…が設けられたことにより、電子封印シール１ｂの該配線パターン１２，１３の位置に於いて、該パターンパターン５４，５４…、５５，５５…を有する部位と該パターン５４，５４…，５５，５５…の間隙との強度が異なる。従って、該電子封印シール１ｂが封印対象物より剥離された際には、配線パターン１２，１３の強度の弱い部分が容易に切断されるので、前記共振回路１１の短絡状態を確実に解除して封印対象物の開封の確かな検知が可能となる。
【００６３】
図９及び図１０は、前記電子封印シール１，１ａ，１ｂ，３０，３０ａ，３０ｂいずれかと梱包テープ５８とを積層した電子封印シールをダンボール５６の開閉口５７に貼着したものである。
【００６４】
而して、該梱包テープ５８が積層された該電子封印シール１，１ａ，１ｂ，３０，３０ａ，３０ｂを前記開閉口５７から剥離して該開閉口５７を開封した後、該梱包テープ５８および該電子封印シール１，１ａ，１ｂ，３０，３０ａ，３０ｂによって再び封印したとしても該梱包テープ５８の粘着力により前記共振回路１１，４６，４７，１１ａ，４６ａ，４７ａ，４６ｂ，４７ｂの短絡状態が確実に解除されるので、前記スキャナ１８によって該開封を高精度で検知することができる。
【００６５】
尚、本発明は、本発明の精神を逸脱しない限り改変を為すことができ、そして、本発明が該改変されたものに及ぶことは当然である。
【図面の簡単な説明】
【００６６】
【図１】本発明の電子封印シールの平面図。
【図２】図１のＡ−Ａ線の縦断矢視図。
【図３】スキャナの回路ブロック図。
【図４】本発明の他の実施例を示し、電子封印シールの平面図。
【図５】本発明の他の実施例を示し、電子封印シールの平面図。
【図６】本発明の他の実施例を示し、電子封印シールの平面図。
【図７】本発明の他の実施例を示し、電子封印シールの平面図。
【図８】本発明の他の実施例を示し、電子封印シールの平面図。
【図９】本発明の電子封印シールに梱包テープを積層した状態の要部の拡大縦断面図。
【図１０】本発明の電子封印シールに梱包テープを積層した状態を示す斜視図。
【符号の説明】
【００６７】
１，１ａ，１ｂ，３０，３０ａ，３０ｂ      電子封印シール
２，３１                                  絶縁性基材
３，３ａ，３２，３３                      コイル
４，６，３４，３５，３８，３９            コンデンサパターン
１０，１０ａ，４４，４５                  コンデンサ
１１，１１ａ，４６，４７                  共振回路
１２，１３，１２ａ，１３ａ，３６，３７，４８，４９    配線パターン
５２，５３                                追加した共振回路
５４，５５                                パターン
５８                                      梱包テープ
【図１】
2005128189.tif 000003
【図２】
2005128189.tif 000004
【図３】
2005128189.tif 000005
【図４】
2005128189.tif 000006
【図５】
2005128189.tif 000007
【図６】
2005128189.tif 000008
【図７】
2005128189.tif 000009
【図８】
2005128189.tif 000010
【図９】
2005128189.tif 000011
【図１０】
2005128189.tif 000012